(57)【要約】【課題】  記録された放送番組の内容を容易に把握可能とする。【解決手段】  第２制御部２２は、カード媒体３３１にアクセスし、カード媒体３３１に保存されているＡＳＦ形式の動画ファイルの情報などを読み込み、ヘッダ情報からタイトルを取得し、ＲＡＭ２４に記憶する。圧縮伸張処理部２５は、各ＡＳＦ形式の動画ファイルの先頭フレームを復号化し、画像を復元して表示部６に、それぞれのＡＳＦ形式の動画ファイルのサムネイルをサムネイル表示エリア６００に表示する。キー入力部８でカーソル移動キーが操作されると、カーソル停止位置の該当ＡＳＦ形式の動画ファイルのタイトルを、ＲＡＭ２４から取得し、表示部６の情報表示エリア６０１に表示する。【選択図】  図２
2006140774.tif 000002
【特許請求の範囲】
【請求項１】
動画を再生表示する表示手段と、
少なくともヘッダ情報に放送内容を示す文字情報が含まれる動画ファイルを保存する記録媒体と、
この記録媒体に記録されている動画ファイルのヘッダ情報から文字情報を取得する情報取得手段と、
この情報取得手段によって取得された文字情報を記憶する文字情報記憶手段と、
前記記録媒体に保存されている動画ファイルからフレーム画像を取得し、このフレーム画像からサムネイル画像を生成するサムネイル生成手段と、
このサムネイル生成手段により生成されたサムネイル画像の一覧を前記表示手段の第１の表示領域に表示させる第１の表示制御手段と、
この第１の表示制御手段により一覧表示されているサムネイル画像の中から１つのサムネイル画像を指定する指定手段と、
この指定手段により指定されたサムネイル画像に対応する動画ファイルの文字情報を前記文字情報記憶手段より読み出し、前記表示手段の第２の表示領域に表示させる第２の表示制御手段と
を具備することを特徴とする動画表示装置。
【請求項２】
前記記録媒体は、外部機器で記録された放送番組から変換された動画ファイルが保存され、当該装置に対し着脱可能であることを特徴とする請求項１記載の動画表示装置。
【請求項３】
ヘッダ情報に放送内容を示す文字情報を含む形式の動画ファイルを保存する記録媒体より、文字情報を取得する情報取得ステップと、
この情報取得ステップにて取得された文字情報をメモリに記憶させる文字情報記憶ステップと、
前記記録媒体に保存されている動画ファイルからフレーム画像を取得し、このフレーム画像からサムネイル画像を生成するサムネイル生成ステップと、
このサムネイル生成ステップにて生成されたサムネイル画像の一覧を動画を再生表示する表示部の第１の表示領域に表示させる第１の表示制御ステップと、
この第１の表示制御ステップにより一覧表示されているサムネイル画像の中から１つのサムネイル画像を指定する指定ステップと、
この指定ステップにより指定されたサムネイル画像に対応する動画ファイルの文字情報を前記メモリより読み出し、前記表示部の第２の表示領域に表示させる第２の表示制御ステップと
からなることを特徴とする情報表示方法。
【請求項４】
動画表示部と着脱可能な記録媒体とを備えるコンピュータが実行する情報表示プログラムであって、
前記記憶媒体には、ヘッダ情報に放送内容を示す文字情報を含む形式の動画ファイルが保存され、この記録媒体より文字情報を取得する情報取得ステップと、
この情報取得ステップにて取得された文字情報を取得された順にメモリに複数記憶させる文字情報記憶ステップと、
前記記録媒体に保存されている動画ファイルからフレーム画像を取得し、このフレーム画像からサムネイル画像を生成するサムネイル生成ステップと、
このサムネイル生成ステップにて生成されたサムネイル画像の一覧を動画を前記動画表示部の第１の表示領域に表示させる第１の表示制御ステップと、
この第１の表示制御ステップにより一覧表示されているサムネイル画像の中から１つのサムネイル画像を指定する指定ステップと、
この指定ステップにより指定されたサムネイル画像に対応する動画ファイルの文字情報を前記メモリより読み出し、前記動画表示部の第２の表示領域に表示させる第２の表示制御ステップと
を実行させることを特徴とする情報表示プログラム。
【発明の詳細な説明】
【技術分野】
【０００１】
本発明は、記録媒体に記録された動画ファイルを再生する機能を備えた動画表示装置、情報表示方法および情報表示プログラムに関する。
【背景技術】
【０００２】
従来、キーボードなどの入力装置を備えていない携帯型の動画再生装置として、編集画面の表示やユーザによるコメント文作成などの操作なしで、コンテンツデータの編集を効率よく行うことが可能とした技術が提案されている（例えば特許文献１参照）。
【特許文献１】特開２００３−２７４３５２号公報
【発明の開示】
【発明が解決しようとする課題】
【０００３】
ところで、近年、ハードディスク録画機で録画した番組（動画ファイル）をストリーミング配信データフォーマットであるＡＳＦ（Advanced Systems Format）形式に変換してＳＤカードなどの記録媒体に保存し、該記録媒体をワイド表示可能な携帯端末などに装着して保存された番組（動画ファイル）を再生する技術が知られている。
【０００４】
上記ハードディスク録画機では、ハードディスク装置に録画した動画ファイルを編集するプログラムナビ機能を備え、編集したい動画ファイルにリモコン操作によりタイトルを付けることが可能となっている。そして、ハードリスク装置に録画した動画ファイルなどの内容をＤＶＤ記録媒体やＳＤカードなどの記録媒体にコピーすることが可能となっている。
【０００５】
しかしながら、上述した従来技術では、上記ストリーミング配信データフォーマットであるＡＳＦ形式の動画ファイルについてはなんら考慮されておらず、動画ファイルの内容を把握することが困難であるという問題があった。
【０００６】
そこで本発明は、放送番組の内容を容易に把握することができる動画表示装置、情報表示方法および情報表示プログラムを提供することを目的とする。
【課題を解決するための手段】
【０００７】
上記目的達成のため、請求項１記載の発明による動画表示装置は、動画を再生表示する表示手段と、少なくともヘッダ情報に放送内容を示す文字情報が含まれる動画ファイルを保存する記録媒体と、この記録媒体に記録されている動画ファイルのヘッダ情報から文字情報を取得する情報取得手段と、この情報取得手段によって取得された文字情報を記憶する文字情報記憶手段と、前記記録媒体に保存されている動画ファイルからフレーム画像を取得し、このフレーム画像からサムネイル画像を生成するサムネイル生成手段と、このサムネイル生成手段により生成されたサムネイル画像の一覧を前記表示手段の第１の表示領域に表示させる第１の表示制御手段と、この第１の表示制御手段により一覧表示されているサムネイル画像の中から１つのサムネイル画像を指定する指定手段と、この指定手段により指定されたサムネイル画像に対応する動画ファイルの文字情報を前記文字情報記憶手段より読み出し、前記表示手段の第２の表示領域に表示させる第２の表示制御手段とを具備することを特徴とする。
【０００８】
また、好ましい態様として、例えば請求項２記載のように、請求項１記載の情報表示装置において、前記記録媒体は、外部機器で記録された放送番組から変換された動画ファイルが保存され、当該装置に対し着脱可能であってもよい。
【０００９】
また、上記目的達成のため、請求項３記載の発明による情報表示方法は、ヘッダ情報に放送内容を示す文字情報を含む形式の動画ファイルを保存する記録媒体より、文字情報を取得する情報取得ステップと、この情報取得ステップにて取得された文字情報をメモリに記憶させる文字情報記憶ステップと、前記記録媒体に保存されている動画ファイルからフレーム画像を取得し、このフレーム画像からサムネイル画像を生成するサムネイル生成ステップと、このサムネイル生成ステップにて生成されたサムネイル画像の一覧を動画を再生表示する表示部の第１の表示領域に表示させる第１の表示制御ステップと、この第１の表示制御ステップにより一覧表示されているサムネイル画像の中から１つのサムネイル画像を指定する指定ステップと、この指定ステップにより指定されたサムネイル画像に対応する動画ファイルの文字情報を前記メモリより読み出し、前記表示部の第２の表示領域に表示させる第２の表示制御ステップとからなることを特徴とする。
【００１０】
また、上記目的達成のため、請求項４記載の発明による情報表示プログラムは、動画表示部と着脱可能な記録媒体とを備えるコンピュータが実行する情報表示プログラムであって、前記記憶媒体には、ヘッダ情報に放送内容を示す文字情報を含む形式の動画ファイルが保存され、この記録媒体より文字情報を取得する情報取得ステップと、この情報取得ステップにて取得された文字情報を取得された順にメモリに複数記憶させる文字情報記憶ステップと、前記記録媒体に保存されている動画ファイルからフレーム画像を取得し、このフレーム画像からサムネイル画像を生成するサムネイル生成ステップと、このサムネイル生成ステップにて生成されたサムネイル画像の一覧を動画を前記動画表示部の第１の表示領域に表示させる第１の表示制御ステップと、この第１の表示制御ステップにより一覧表示されているサムネイル画像の中から１つのサムネイル画像を指定する指定ステップと、この指定ステップにより指定されたサムネイル画像に対応する動画ファイルの文字情報を前記メモリより読み出し、前記動画表示部の第２の表示領域に表示させる第２の表示制御ステップとをコンピュータに実行させることを特徴とする。
【発明の効果】
【００１１】
請求項１記載の発明によれば、情報取得手段により記録媒体に記録されている動画ファイルのヘッダ情報から文字情報を取得され、サムネイル生成手段により前記記録媒体に保存されている動画ファイルからフレーム画像が取得され、このフレーム画像からサムネイル画像が生成される。そして、第１の表示制御手段により生成されたサムネイル画像の一覧が前記表示手段の第１の表示領域に表示され、指定手段により一覧表示されているサムネイル画像の中から１つのサムネイル画像が指定されると、指定されたサムネイル画像に対応する動画ファイルの文字情報を前記文字情報記憶手段より読み出して、前記表示手段の第２の表示領域に表示する。したがって、記録された放送番組の放送タイトルなどの内容を容易に把握することができるという利点が得られる。
【００１２】
また、請求項２記載の発明によれば、前記記録媒体は外部機器で記録された放送番組から変換された動画ファイルが保存され、当該装置に対し着脱可能であるようにしたので、特に、外部機器で録画された放送番組の放送タイトルなどの内容を容易に把握することができるという利点が得られる。
【００１３】
また、請求項３記載の発明によれば、ヘッダ情報に放送内容を示す文字情報を含む形式の動画ファイルを複数保存する記録媒体より文字情報を取得する情報取得し、取得された文字情報をメモリに記憶させ、前記記録媒体に保存されている動画ファイルからフレーム画像を取得し、このフレーム画像からサムネイル画像を生成し、このサムネイル画像の一覧を動画を再生表示する表示部の第１の表示領域に表示させる。そして、一覧表示されているサムネイル画像の中から１つのサムネイル画像が指定されると、指定されたサムネイル画像に対応する動画ファイルの文字情報を前記メモリより読み出して、前記表示部の第２の表示領域に表示させる。したがって、記録された放送番組の放送タイトルなどの内容を容易に把握することができるという利点が得られる。
【００１４】
また、請求項４記載の発明によれば、ヘッダ情報に放送内容を示す文字情報を含む形式の動画ファイルが保存された記録媒体より文字情報を取得する情報取得ステップと、この情報取得ステップにて取得された文字情報を取得された順にメモリに複数記憶させる文字情報記憶ステップと、前記記録媒体に保存されている動画ファイルからフレーム画像を取得し、このフレーム画像からサムネイル画像を生成するサムネイル生成ステップと、このサムネイル生成ステップにて生成されたサムネイル画像の一覧を動画を前記動画表示部の第１の表示領域に表示させる第１の表示制御ステップと、この第１の表示制御ステップにより一覧表示されているサムネイル画像の中から１つのサムネイル画像を指定する指定ステップと、この指定ステップにより指定されたサムネイル画像に対応する動画ファイルの文字情報を前記メモリより読み出し、前記動画表示部の第２の表示領域に表示させる第２の表示制御ステップとをコンピュータに実行させるようにしたので、記録された放送番組の放送タイトルなどの内容を容易に把握することができるという利点が得られる。
【発明を実施するための最良の形態】
【００１５】
以下、本発明の実施の形態を、図面を参照して説明する。
【００１６】
Ａ．実施形態の構成
次に、図１は、本実施形態に係る携帯電話１の蓋を開いた状態と閉じた状態の正面図に相当する外観図である。図１（ａ）は、携帯電話１の蓋を開いた状態を示し、図１（ｂ）は、携帯電話１の蓋を閉じた状態（蓋側）を示し、図１（ｃ）は、携帯電話１の蓋を閉じた状態（裏面側）を示している。
【００１７】
図示のように、蓋部２は、本体部３に対し第１ヒンジ部１００を回転軸として開閉可能（矢印α）に配置されているほか、第２ヒンジ部１２を回転軸として回転可能（矢印β）になっている。蓋部２は、第１スピーカ５、表示部６、データ通信用の内蔵アンテナ（図示略）を内蔵している。第１スピーカ５は、ダイナミックスピーカであり、蓋部２の内面に配置されている。表示部６は、蓋部２の内面に配置され、１６：９のアスペクト比の映像表示が可能な２．７ｉｎｃｈ（２４０×４２８ドット）のＴＦＴ液晶（ＱＶＧＡもしくは、ＨＶＧＡ相当の解像度を備える）で構成され、動画ファイルに基づく動画を再生表示する。
【００１８】
第１ヒンジ部１００は、蓋部２に連繋されて該蓋部２と一体的に回転する可動部１０１と、本体部３側に固定されるとともに可動部１０１の両側に設けられた左右一対の固定部１０２、１０３とで構成されている。
【００１９】
本体部３は、キー入力部８とマイク１０とを備える。キー入力部８は、メニュー表示時におけるフォーカス移動のための十字キー８１、決定のための決定キー８２、アドレス帳データ閲覧のためのアドレス帳キー８３、ネットワーク接続を指示するためのネットワーク接続キー８４、ムービー再生モードを起動させるためのムービー再生キー８５、メールモード（受信、作成、編集、送信）を起動させるためのメールキー８６、オフフックキー８７、クリアキー８８（キャンセル検出）、オンフックキー８９（オールクリア：着信待ち状態にジャンプ指示）、電話番号や文字記号を入力するためのテンキー８１０等からなる。また、本体部の背面には、撮影するための撮像レンズ１７、および着信音やアラーム、メロディなどを再生するためのスピーカ７Ｒ、７Ｌが配置されている。
【００２０】
次に、図２は、本実施形態による携帯電話１の回路構成を示すブロック図である。受信信号処理部１８は、データ通信モードの開始指示をスイッチ回路２０１より受けると、外部の無線基地局とのネゴシエーション（端末認証、回線接続）を開始し、通信帯域幅を一時的に占有する処理を行う。そして、内蔵アンテナ１６により受信された無線信号より自機宛に符号変調された信号を抽出して、スイッチ回路２０１を介して通信データ処理部２０２に出力する。
【００２１】
通信信号処理部１９は、待受け状態においても、また、データ通信モードにおいても、常に電源供給されており、通信データ処理部２０２からのデジタル変調信号（送信音声データ、メールデータ、ネットワーク接続情報を含むパケットデータ）を、符号変調してメインアンテナ１１より出力する。また、一方で、無線基地局より送信され、メインアンテナ１１により受信された無線信号より自機宛に符号変調された信号を抽出して、スイッチ回路２０１を介して通信データ処理部２０２に出力する。
【００２２】
なお、内蔵アンテナ１６とメインアンテナ１１は、蓋部２を回動させた状態であっても、閉じた状態であっても、スペースダイバーシチ受信を行うのに有効な位置関係にある。
【００２３】
第１制御部２０は、無線基地局、及びその後段にあたる、通信サービス事業者、インターネット等のネットワークインフラを介して接続されるデータベース等の、情報資源との接続制御を中心とした処理を行う。なお、本実施の形態においては、携帯電話１は、２つの制御部を傭えており、通信処理全般については第１制御部２０、その他、撮影処理、画像処理、映像の再生処理に関しては後述の第２制御部２２で行う。
【００２４】
スイッチ回路２０１は、通信データ処理部２０２からの制御信号を受け、受信信号処理部１８、通信信号処理部１９への電源供給、処理動作開始終了の制御を行う。詳細には、通常電源オン状態、もしくは、受信ＯＮモード状態であれば、通信信号処理部１９のみに電源を供給して動作させ、一方で、ユーザがネットワーク接続キー８４を操作したか、あるいは、予め設定されたスケジュールに従い、データ通信モードの開始が指示された場合は、受信信号処理部１８と通信信号処理部１９とを動作させる。
【００２５】
通信データ処理部２０２は、音声処理部２０５より出力されたＣＥＬＰ系デジタル音声データをＰＳＫ系方式に対応する信号に変調、及び拡散符号に変調するとともに、受信信号処理部１８、通信信号処理部１９にて受信される符号変調された信号をＰＳＫ系方式、及び／又は、ＱＡＭ系方式のデジタル信号に復号する処理を行う。
【００２６】
システムＲＯＭ２０３は、通信制御のための制御プログラムを格納する。本実施の形態の特徴としては、通常の通信ネゴシエーションプログラムの他に受信信号処理部１８と通信信号処理部１９との動作切替制御プログラムを記憶する。これにより、データ通信モードの開始が指示された場合に、メインアンテナ１１と内蔵アンテナ１６によるスペースダイバーシチ受信を行わせて、一時的に通信帯域幅を占有し、受信信号処理部１８、通信信号処理部１９の双方より出力される符号変調された信号をほぼ同時にデジタル信号に復号、合成して、インターフェイス処理部２０４を介してバス２００に出カするプログラムを記憶する。
【００２７】
音声処理部２０５は、ＣＥＬＰ系の音声変調／復調システムと、ＭＰＥＧオーディオ系の音声復調システムとを備え、通話状態においては、音声処理部２０５から出カされるアナログ音声を第１スピーカ５から出力させる。スイッチ３１は、第２制御部２２からの制御により、ムービー再生モードにおいては、ムービーファイルに格納されるオーディオデータがステレオ対応である場合、第２スピーカ７Ｒ、第３スピーカ７Ｌの両方にオーディオ信号を出力する。第２スピーカ７Ｌは、報知ドライバ２６によっても駆動され、着信報知音などを再生出力する。
【００２８】
第２制御部２２は、ムービー再生モードにおけるデータ通信モードによりダウンロードしたムービーファイルや、カメラモードにおける静止画／動画の再生表示処理、及び、カメラモードにおける撮影処理全般の制御を行う。特に、本実施形態では、第２制御部２２は、ＡＳＦ形式の動画ファイルのヘッダ情報を解析し、タイトル（Ｔｉｔｌｅ）がある場合には、その文字列を取得し、カーソルで指示されている動画ファイル（ＡＳＦフィル）のタイトルを表示するという処理を行う。なお、本実施の形態においては、携帯電話機能による着信割り込み時において上述の第１制御部２０との並行処理が可能だが、これらの処理に伴うバスへのアドレス／データの割り込み処理については、インターフェイス処理部２０４が行うものとする。
【００２９】
プログラムＲＯＭ２３は、ムービー再生モード、カメラモード、ＡＳＦ形式の動画ファイルのヘッダ情報の解析に関する各処理プログラムを格納する。ＲＡＭ２４は、データ通信処理や、音声通信において必要とされる各種データ、ＡＳＦ形式の動画ファイルのヘッダ情報などを記憶する。
【００３０】
ハードディスク録画機は、放送番組を記憶する際には、ＭＰＥＧ−２形式にて内部のハードディスクに記録保存される。一方、その記録された放送内容（番組タイトル名、放送日時、出演者等の文字情報）は、デジタル地上波放送であれば放送されるコンテンツに多重化され、または、事前にＥＰＧ（電子番組案内）等を取得することによる録画予約により取得され、記録した放送番組に対応付けて記憶される。しかしながら、携帯電話のような高度な画像処理部を備えていない装置で再生させる場合は、ＡＳＦフォーマットへ再変換され、ＳＤカード等の記録媒体へ転送する。この再変換の際に、先に取得した放送内容は、ＡＳＦフォーマットにより規定される「Ｃｏｎｔｅｎｔ  Ｄｅｓｃｒｉｐｔｉｏｎ  Ｏｂｊｅｃｔ」の「Ｔｉｔｌｅ」部分に挿入される。
【００３１】
ここで、図３は、ＡＳＦフォーマットで規定されている「Ｃｏｎｔｅｎｔ  Ｄｅｓｃｒｉｐｔｉｏｎ  Ｏｂｊｅｃｔ」の構造を示す概念図である。ＡＳＦフォーマットは、先頭が、「Ｃｏｎｔｅｎｔ  Ｄｅｓｃｒｉｐｔｉｏｎ  Ｏｂｊｅｃｔ」であることを示す１６バイトの識別コード（Ｏｂｊｅｃｔ  ＩＤ）、次が８バイトの「Ｃｏｎｔｅｎｔ  Ｄｅｓｃｒｉｐｔｉｏｎ  Ｏｂｊｅｃｔ」のサイズ（Ｏｂｊｅｃｔ  Ｓｉｚｅ）、その次が、タイトルの長さ（Ｔｉｔｌｅ  Ｌｅｎｇｔｈ）、著者の長さ（Ａｕｔｈｏｒ  Ｌｅｎｇｔｈ）、著作権の長さ（Ｃｏｐｙｒｉｇｈｔ  Ｌｅｎｇｔｈ）、「Ｄｅｓｃｒｉｐｔｉｏｎ  Ｌｅｎｇｔｈ」、「Ｒａｔｉｎｇ  Ｌｅｎｇｔｈ」が続き、さらに、それぞれの長さ分の「Ｔｉｔｌｅ」、「Ａｕｔｈｏｒ」、「Ｃｏｐｙｒｉｇｈｔ」、「Ｄｅｓｃｒｉｐｔｉｏｎ」、「Ｒａｔｉｎｇ」が挿入されている。
【００３２】
次に、圧縮伸張処理部２５は、ＭＰＥＧ−２、−４、及び、ＡＳＦ方式に対応し、カメラモードにて撮影された静止画／動画を圧縮処理するとともに、ムービー再生モードにおけるデータ通信モードによりダウンロ−ドしたムービーファイルや、カメラモードにおける静止画／動画、ＳＤカードなどのカード媒体３３１に保存されているＡＳＦ形式の動画ファイル（動画ファイル）を伸張処理する。
【００３３】
報知ドライバ２６は、着信音やアラーム報知音を鳴動せしめるために報知用ＬＥＤ１３、第３スピ−カ７Ｌを動作させる。スイッチ処理部２７は、キー入力部８、第１サイドキー９０、第２サイドキー９１、シャッターキー９２からの操作検出に伴う第１制御部２０、第２制御部２２への制御信号を出カする。
【００３４】
なお、カメラレンズ１７の後段には、ＣＣＤ、若しくはＣＭＯＳ等のイメ−ジセンサと光学ズーム用のステップモータからなる撮像デバイス１７１と、この撮像デバイスで撮り込まれたアナログ信号をデジタル信号に変換し、イメージデータを生成するためのＤＳＰ１７２とが備えられている。また、本実施の形態におけるイメージセンサーの有効画素領域は４：３のアスペクト比に固定されている。クレイドル用コネクタ３２は、クレイドル、すなわち充電台を兼ねた設置台に設置した際に、設置台からの電力で図示しないバッテリを充電するためのものであり、コネクタインターフェース３１を介してバスに接続されている。メモリカードスロット３３０（３３）には、ＳＤカードなどの記録媒体３３１が装着される。
【００３５】
Ｂ．実施形態の動作
次に、上述した実施形態の動作について説明する。
【００３６】
図４は、本実施形態による携帯電話１の動作を説明するためのフローチャートである。まず、第２制御部２２は、ＳＤカードなどのカード媒体３３１にアクセスし、カード媒体３３１に保存されているＡＳＦ形式の動画ファイルを読み込み、ヘッダ情報の「Ｃｏｎｔｅｎｔ  Ｄｅｓｃｒｉｐｔｉｏｎ  Ｏｂｊｅｃｔ」の「Ｔｉｔｌｅ」部分からタイトル情報を取得し、内蔵のＲＡＭ２４にファイル情報とともにそのタイトル情報を記憶する（ステップＳ１０）。
【００３７】
次に、圧縮伸張処理部２５は、先頭フレーム表示、すなわちサムネイル表示のために各ＡＳＦ形式の動画ファイルにおける動画データの先頭フレームを復号化し、画像を復元して表示部６に、図５に示すように、それぞれのＡＳＦ形式の動画ファイルに対するサムネイルＡ〜Ｉをサムネイル表示エリア６００に表示する（ステップＳ１２）。
【００３８】
次に、初回のカーソル位置である一番左上のＡＳＦ形式の動画ファイル（サムネイルＡに相当）のタイトル情報を、情報表示エリア６０１に表示し、一番左上の位置のカーソル位置をＲＡＭ２４に記憶する（ステップＳ１４）。その後、キー入力部８でカーソル移動キー（＋／−）のキー操作が検知されたか否かを判断し（ステップＳ１６）、キー操作を検知すると、カーソルを移動させる（ステップＳ１８）。
【００３９】
次に、カーソルの移動量が、画面で表示可能な最大値（図５に示す例では、最大９個のサムネイル）を超えたか否かを判断し（ステップＳ２０）、カーソルの移動量が９より大きい場合には、１０枚以降のサムネイルを表示するために、ステップＳ１０へ戻り、再びカード媒体３３１にアクセスし、次の一覧表示のためのＡＳＦファイル情報の取得および先頭フレームのデコード＆サムネイル表示を行う。
【００４０】
一方、カーソルの移動量が表示可能な最大値以内である場合には、現在のカーソル停止位置を取得し（ステップＳ２２）、ＲＡＭ２４に記憶しておいた前回のカーソル位置と現在のカーソル位置とを比較し、カーソルの停止位置の更新が必要であるか否かを判断する（ステップＳ２４）。そして、前回のカーソル位置と現在のカーソル位置が同じ場合には、カーソル位置の更新なしとして、タイトルの表示も更新することなく、ステップＳ１６へ戻り、キー入力部８での次のキー入力待ち状態になる。
【００４１】
一方、前回のカーソル位置と現在のカーソル位置が異なる場合には、停止位置の更新ありとして、カーソル停止位置の該当ＡＳＦファイル（動画ファイル）のタイトルを、ＲＡＭ２４から取得し（ステップＳ２６）、図５に示す情報表示エリア６０１に表示する。図５の例では、斜線で示すサムネイル画像Ｈのタイトル「ＸＸＸＸＸＸ」が表示されている。その後、ステップＳ１６へ戻り、キー入力部８での次のキー入力待ち状態になる。
【００４２】
以下、カーソル位置が更新される度に、そのカーソル停止位置における該当ＡＳＦ形式の動画ファイルのタイトル情報を、ＲＡＭ２４から取得し、図５に示す情報表示エリア６０１に表示するという動作を繰り返す。
【００４３】
上述した実施形態によれば、ＡＳＦ形式の動画ファイルのサムネイルを一覧表示する際に、カーソル位置におけるＡＳＦ形式の動画ファイルのタイトル情報を表示するようにしたので、記録された放送番組の放送タイトルなどの内容を容易に把握することができるという利点が得られる。
【００４４】
なお、上述した実施形態では、情報表示装置として携帯電話について説明したが、これに限らず、携帯情報端末（ＰＤＡ）や、動画や静止画再生に特化した情報表示装置であってもよい。
【図面の簡単な説明】
【００４５】
【図１】本発明の実施形態に係る携帯電話１の蓋を開いた状態と閉じた状態の正面図に相当する外観図である。
【図２】本実施形態による携帯電話１の回路構成を示すブロック図である。
【図３】本実施形態によるＡＳＦ形式の動画ファイルに係るフォーマットの構造を示す概念図である。
【図４】本実施形態による携帯電話１の動作を説明するためのフローチャートである。
【図５】本実施形態によるサムネイル表示における画面例を示す模式図である。
【符号の説明】
【００４６】
１  携帯電話（動画表示装置）
２  蓋部
３  本体部
５  第１スピーカ
６  表示部（表示手段）
７Ｒ  第２スピーカ
７Ｌ  第３スピーカ
８  キー入力部（指定手段）
１０  マイク
１１  メインアンテナ
１２  第２ヒンジ部
１３  報知用ＬＥＤ
１６  内蔵アンテナ
１７  撮像レンズ
１８  受信信号処理部
１９  通信信号処理部
２０  第１制御部
２２  第２制御部（情報取得手段、第１の表示制御手段、第２の表示制御手段）
２３  プログラムＲＯＭ
２４  ＲＡＭ（文字情報記憶手段）
２５  圧縮・伸張処理部（サムネイル生成手段）
２６  報知ドライバ
２７  スイッチ処理部
３０  音声出力系ドライバ
３１  スイッチ
６１  表示ドライバ
６２  表示バッファ
９０  第１サイドキー
９１  第２サイドキー
９２  シャッターキー
１００  第１ヒンジ部
２０１  スイッチ回路
２０２  通信データ処理部
２０３  システムＲＯＭ
２０５  音声処理部
２０６  スイッチ回路
２０７  オーデイオアンプ
３３０  メモリカードスロット
３３１  カード媒体（記録媒体、外部記録媒体）
６００  サムネイル表示エリア（第１の表示領域）
６０１  情報表示エリア（第２の表示領域）
【図１】
2006140774.tif 000003
【図２】
2006140774.tif 000004
【図３】
2006140774.tif 000005
【図４】
2006140774.tif 000006
【図５】
2006140774.tif 000007